(57)【要約】      （修正有）【課題】家電に使用されるスピーカー、特に、超薄型ＴＶに適用されるために超薄型で低音特性が優れたウーファーに適用され、超薄型でありながらも低音向上と振幅を大きくして音圧を向上する超薄型スピーカーユニットを提供する。【解決手段】ダンパー２０とフレーム１０の外形の変化でスピーカーの外径サイズに対比して、ボイスコイル１３０の直径を大きくすることができてダンパー２０を２段で具備して、下端はフレーム１０に置かれた状態で上端の上下振幅を大きくして低音特性を向上させながらも振動板１４０の大きさも大きく使用することで、低音特性を向上させながら音圧が向上する。【選択図】図１
2013048414.tif 000002
【特許請求の範囲】
【請求項１】
永久磁石１２０が収容されたヨーク１１０が装着されるフレーム１０と、
前記フレーム１０の底面に置かれるダンパー２０と、
前記ダンパー２０は、フレームの底面に置かれて固定される外側枠２１と外側枠より上側に位置する内側枠２２でなされて、前記外側枠２１と内側枠２２は弾性バー２３によって連結されて、内側枠２２に装着される振動板が上下で振動するようになって、上下振動時に前記振動板１４０に装着されたボイスコイルが内側枠に収容されてヨークと永久磁石との間に挟まれて上下作動するようになって、
前記フレームの底面に置かれるダンパーを固定し、振動板の上下振動時に発生される音圧に対応するためにフレームの外壁１４は、多数個の支持壁１５が開口ホール１６によって開口される低音特性と音圧を向上させた超薄型スピーカーユニット。
【請求項２】
前記ダンパー２０の外側枠２１と内側枠２２を連結する弾性バー２３は、振幅維持のためにクランク形状であり、一端は外側枠２１の上端に連結されて、内側枠２２の下端に連結されることを特徴とする低音特性と音圧を向上させた請求項１に記載の超薄型スピーカーユニット。
【請求項３】
前記ダンパー２０の外側枠２１と内側枠２２とは、一定幅を有する板状が垂直補強のために垂直で直立された状態で形成され、弾性バー２３は外側枠２１または内側枠２２と直交するように弾性の容易性のために水平で横たわるように形成されたことを特徴とする  請求項２に記載の低音特性と音圧を向上させた超薄型スピーカーユニット。
【請求項４】
前記弾性バー２３は、外側枠２１と内側枠２２との間で内側枠の上下振動時に正確な上下振幅維持のために外側枠２１と内側枠２２で連結される場合に連結される部分には垂直で延長された補強台２４を具備するようにした後に補強台２４から延長されながら外側枠２１と内側枠２２の外周縁と同一線上に沿って屈曲されるように形成されることで上下振動時に正確な振幅維持が可能になることを特徴とする請求項２または３に記載の低音特性と音圧を向上させた超薄型スピーカーユニット。
【請求項５】
前記補強台２４は、内側枠２２の上下振動時に水平で屈曲された弾性バー２３の正確な作動と拗じれることを防止するために補強突起２４ａと内入溝２４ｂでなされて、前記内入溝２４ｂの先端で水平になされることを特徴とする請求項４に記載の低音特性と音圧を向上させた超薄型スピーカーユニット。
【請求項６】
前記振動板のエッジには、一側に傾くように傾斜突起１４２帯を形成して、ダンパーの弾性バーと拗じれに抵抗するように前記振動板のエッジが一方向に傾けられることを特徴とする請求項１に記載の低音特性と音圧を向上させた超薄型スピーカーユニット。
【請求項７】
前記ヨークは、下端に突出枠を形成して、前記突出枠は、フレームの底面にインサート射出されながら成形されたことを特徴とする請求項１に記載の低音特性と音圧を向上させた超薄型スピーカーユニット。
【請求項８】
前記振動板１４０には、ボイスコイルのボビンに巻かれているコイル１３０が振動板１４０に形成されている一側端子１５０ａに連結されて、金糸線１６２が連結されている他側端子１５０ｂには前記一側端子１５０ａと軟性ボード１５０ｃで連結されて一つの電極１５０を含んでなされることを特徴とする請求項１または６に記載の低音特性と音圧を向上させた超薄型スピーカーユニット。
【請求項９】
前記外側枠２１には隣合う一対の係止枠２５がお互いに外側に突き出されながら中央に湾曲された凹状窪み２６を形成していることを特徴とする請求項１に記載の低音特性と音圧を向上させた超薄型スピーカーユニット。
【請求項１０】
隣合う一対の開口ホール１６の上端一部が切開されながら、中間に形成されている支持壁１５の上端が外部に露出して、前記支持壁の上端には多角形の固定突起１８が突き出されるように形成されていて、接触端子が形成されている連結片１６０の溝が固定突起１８に挟まれて固定されることを特徴とする請求項１に記載の低音特性と音圧を向上させた超薄型スピーカーユニット。
【請求項１１】
前記開口ホール１６の外には凹状窪み２６が形成されている係止枠２５が露出された状態で前記凹状窪み２６と隣合うまた他の凹状窪みの間の外側枠２１には、
支持壁１５と密着されながら支持壁１５を中心に同一な距離にそれぞれの係止枠２５が開口ホール１６外に露出しているようにする係止板２７が形成されていることを特徴とする請求項１０に記載の低音特性と音圧を向上させた超薄型スピーカーユニット。
【請求項１２】
前記フレーム１０は、外側に拡張された縁には下側で深く形成された多数個の結合口１９が形成されていて、
前記結合口１９の結合ホールの内側には、結合溝２０３ａが形成されている結合突起２０３が内入されて一体化された状態でフレームと組み立てられるようにするボードをさらに含んでなされていることを特徴とする請求項１に記載の低音特性と音圧を向上させた超薄型スピーカーユニット。
【請求項１３】
前記ボード２００の固定枠２０２の周辺には切開された通気口２０４が形成されていて、これを囲む湾曲された形状の通気路２０５が形成されていることを特徴とする請求項１２に記載の低音特性と音圧を向上させた超薄型スピーカーユニット。
【請求項１４】
前記ボード２００には垂直で直立された多数個の固定片２０６がボードと一体で射出成形されていて、前記固定片２０６には接触端子１６１に連結されている電線１０８らが固定溝２０７に挟まれて融着されていることを特徴とする請求項１３に記載の低音特性と音圧を向上させた超薄型スピーカーユニット。
【発明の詳細な説明】
【技術分野】
【０００１】
本発明は、家電に使用されるスピーカーに関するものであり、特に、超薄型ＴＶに適している、超薄型の構造を持ち低音特性が優秀なウーファーに適用される。
【０００２】
しかし、このような本願発明の構造を利用して超薄型でありながら低音と高音にも適用が可能で多様なスピーカーに適用が可能である。
【０００３】
また、十分な音圧を確保して低音特性をいかしながら組み立て時に露出された金糸線の長さを同一に合わせて容易に組立てることができるし、さらにひいては、機能を改善したスピーカーユニットとスピーカーユニットが装着されたボードに関する。
【背景技術】
【０００４】
現在、家電の花と言えるＴＶの発展は、ブラウン管から始めてプロジェクションＴＶを経て、現在は超薄型と言えるＰＤＰとＬＣＤに進化し、ＴＶの厚さが漸次的に薄くなっているため、これに装着されるスピーカーの厚さも構造的にますます薄くなっている。
【０００５】
しかし、スピーカーがこのような構造的な部分だけで薄くなるようになる場合にもＴＶ映像によって発生されるオーディオの性能も向上されなければならないが、超薄型である場合には特に、スピーカーの音圧が落ちて所望の低音特性や音圧を得ることができなくてＴＶの映像に合うオーディオを得ることができないということである。
【０００６】
したがって、現在薄型や超薄型でなされたスピーカーを提供するために多様な形態で提案されているが、これらの短所は、低音特性を有するウーファーでは実質的な音圧を得ることができないというものである。
【０００７】
すなわち、超薄型の提供のためには水平ダンパーを提案しているが、このような形態のダンパーは超薄型で製作されるスピーカーの構造的な限界によって上下振幅が大きくできないという短所はもちろん、上下振動の速度が早めになるようになることで、低音特性に好適ではないという短所があるためである。
【０００８】
さらに、このような超薄型のスピーカーは、超薄型で製作されるために、ボイスコイルと連結されている金糸線を外部に露出させて接触端子と連結する時には、前記金糸線の長さがお互いに異なると、上下で振動するボビンの薄い厚さによって一側と他側の振動幅がお互いに変わるようになることで、金糸線の長さを同一に合わせて接触端子と連結する。
【０００９】
この時製作されたスピーカーユニットは、超薄型スピーカーユニットであるために組み立て時に確保された空間が小さく、金糸線の長さも短いため、半田付けが非常に不便かつ難しい。
【００１０】
さらに、このように完成された超薄型スピーカーユニットをボードに組立てる時には、フレームの角に形成されている結合ホールとボードに形成されている結合穴を一致させた状態でカバーを着せてねじを締結するようになるが、この時、締結されるねじはカバー内側に位置している超薄型スピーカーの結合ホールを貫通して、ボードに結合されることで、組み立て時に見えないスピーカーユニットとボードの結合ホールと溝によって組み立てが難しく不便である。
【００１１】
また、ボードと超薄型スピーカーユニットが締結されながら前記スピーカーユニットの電線はフリーな状態で置かれて外部器機と連結される。したがって、前記スピーカーユニットが振動するようになれば、フリーな状態で置かれた電線が前記スピーカーユニットの振動によって震えながらボードと接触するようになってしまい騷音を発生させる。
【発明の概要】
【発明が解決しようとする課題】
【００１２】
したがって、本発明では超薄型でありながらも低音特性の向上と振幅を大きくして音圧を向上するようにしたものである。
【００１３】
また、本発明では十分な音圧を確保して低音特性をいかしながら、露出された金糸線の長さを容易に合わせて組立てることができるし、さらにひいては、ボードと超薄型スピーカーユニットを容易に結合させることができる組み立て構造と機能を改善しようとするものである。
【課題を解決するための手段】
【００１４】
このためにダンパーとフレームの外形の変化でスピーカーの外径サイズに対比してボイスコイルの直径を大きくすることができ、ダンパーを２段で具備して下端はフレームに置かれた状態で上端の上下振幅を大きくして低音特性を工場させながらも振動板の大きさも大きく使用することで低音特性を向上させながら音圧が向上するようにした。
【００１５】
また、平板の振動板を適用してさらに超薄型の設計が可能になった。
【００１６】
また、組み立て構造の改善のために本発明では、ダンパーの外側枠には隣合う一対の係止枠を外側に突き出させて隣合う部位に内側へ湾曲された凹状窪みを形成して、開口ホールを通じて露出された凹状窪み内側に金糸線が挟まれた状態で接触端子と連結されるようにして同一な長さで露出した金糸線の長さを合わせてくれるようにしたことを特徴とする。
【００１７】
また、本発明のフレームは、外側に拡張された角に下側で深く形成された多数個の結合口を形成して、前記結合口の結合ホール内側には、結合溝が形成されている結合突起が内入されて一体化された状態に組み立てられるようにするボードをさらに含んでなされることを特徴とする。
【００１８】
また、本発明のボードには垂直に直立された多数個の固定片がボードと一体で射出成形されている。前記固定片には接触端子と連結されている電線が固定溝に挟まれて、ノイズを発生させないように融着されている。
【発明の効果】
【００１９】
したがって、本発明は、ダンパーの構造を変更することで、超薄型でありながらも低音特性が向上させることで、薄型のＴＶに相応しいオーディオができるようにした。
【００２０】
また、ダンパーの装着形態と振動板の形態変化に従って超薄型の提供も可能になることはもちろん、製作過程での組み立ても容易になる。
【００２１】
また、本発明は、２段で構成されたダンパーを安着させて使用することによって高価のスリムＴＶと似合う低音特性が優秀でありながらも十分な音圧を有するようにスピーカーを提供することができるし、特に、ダンパーの湾曲された凹状窪みを形成している係止枠を利用して金糸線を連結するために容易に金糸線の長さを合わせて超薄型スピーカーユニットを組立てることができる。
【００２２】
また、ユニットが装着されたボードを提供する場合にも組み立て構造を改善できるようにすることで経済的でありながら優秀な耐久性を有するようにするようになる。
【図面の簡単な説明】
【００２３】
【図１】本発明の全体組み立て構成を示した分解斜視図である。
【図２】本発明のスピーカーユニットの外観斜視図である。
【図３】本発明のスピーカーユニットの組み立てられた状態の断面斜視図である。
【図３ａ】本発明のスピーカーユニットの組み立てられた状態の断面斜視図である。
【図４】本発明のダンパーがフレームに装着される状態の断面図である。
【図５】本発明のダンパーの外観斜視図である。
【図６】本発明のダンパーの要部構成を示した拡大斜視図である。
【図７】本発明の振動板の斜視図である。
【図８】本発明の振動板とダンパーによる拗じれに抵抗する状態図である。
【図９】本発明のまた他のダンパーの構造による超薄型スピーカーユニットの分解斜視図である。
【図１０】本発明の図９の組み立て状態の断面図である。
【図１１】本発明のダンパーのまた他の実施例の斜視図である。
【図１２】本発明の図１１のダンパーの使用状態図である。
【図１３】本発明のダンパーの使用による電源端子との金糸線の連結過程を見せてくれる手順工程図である。
【図１４】本発明のコイル線が端子に連結される断面斜視図である。
【図１５】本発明のスピーカーユニットが装着されたボードの外観斜視図である。
【図１６】本発明のボードにスピーカーユニットが組み立てを示す分解斜視図である。
【図１７】本発明のボードにスピーカーユニットを構成するフレームが組み立てられる斜視図である。
【図１８】本発明の実施例によって電線の固定状態を示す斜視図である。
【発明を実施するための形態】
【００２４】
以下、本発明は実施するための具体的な内容は添付された図面を参照して詳しく説明することにする。
【００２５】
先ず、図１乃至図８は、本発明の一実施例によるスピーカーユニットの全体構成を見せてくれるものであり、図面に示すところのように本発明の構成は、永久磁石１２０が収容されるヨーク１１０が装着されるフレーム１０には前記永久磁石１２０が収容されたヨーク１１０の外壁１１０ａと密着されながら固定されることができるように内壁１３を形成して、前記内壁１３は超薄型の具現のためにフレーム１０の内側（すなわち、ダンパーが収容される空間）に突き出されるように形成して、前記内側に突き出された内壁１３の下端の延長線上にはダンパー２０が置かれるようにするために離隔空間１２を有するように底面１１が形成されて、前記内壁１３と離隔空間１２を有する底面１１の延長される外側には外壁１４を形成して、前記外壁１４は振動板１４０の上下振動時に発生される音圧に対応するために多数個の支持壁１５による開口ホール１６で形成する。
【００２６】
また、前記外壁１４を形成する支持壁１５のいずれか一つにはダンパー２０の開口溝２２ａからすり抜けて来たボイスコイル１３０のコイル線１３１を支持壁１５の外側に形成される電源端子１６０と連結固定するための端子ホール１５ａを具備して、同時に支持壁１５の内側には前記離隔空間１２を有する底面１１に置かれるダンパー２０の固定のために係止突起１５ｂを形成することができるものであり、このような係止突起１５ｂはダンパー２０が底面１１に置かれた場合の振動を遮断するために若干持ち上げられており、このような係止突起１５ｂの構成は多様な位置の変化や形態の変化が可能なものであり、このような振動防止のためには接着剤による接着固定の方法として底面１１やまたは外壁１４を形成する支持壁１５に接着固定するようにする場合にも振動が防止される。
【００２７】
また、前記フレーム１０の上端のわくには、振動板１４０のエッジ（Ｅｄｇｅ）１４１が置かれて接着固定するようにするための段顎による枠端部１７が形成される。
【００２８】
また、前記ダンパー２０は、フレーム１０の離隔空間１２を有する底面１１に置かれて固定されるか、または外壁１４を形成する支持壁１５に固定されるための外側枠２１とボイスコイル１３０が接着されて装着された振動板１４０と接着固定されるための内側枠２２でなされる。
【００２９】
前記外側枠２１は、離隔空間１２を有する底面１１に置かれて接着固定されるか、または支持壁１５の係止突起１５ｂに係止されて固定されながら底面１１から若干持ち上げられて振動時に振動が防止されるものであり、内側枠２２は底面１１から一定距離、すなわち、上下振動時に発生される最大の振幅程度浮き立っている状態を維持するために内側枠２２は、できれば外側枠２１の内側かつ上側に位置し、一定距離離隔されるように形成され、このような状態で内側枠２２が上下振動する場合に振幅維持のためにクランク状の弾性バー２３が外側枠２１の上端と内側枠２２の下端に連結形成されて最大の振幅で作動可能にさせる。
【００３０】
また、本発明では前記ダンパー２０は低重量の具現はもちろん形態変形防止のために多様な材質で選択されるプラスチックに射出成形されるものであり、このような射出成形が本発明の目的を制限するものではなくて、金属や多様な材質への具現も可能である。
【００３１】
また、ダンパー２０の最小重量でありながらも一定な強度維持と耐久性のために前記外側枠２１と内側枠２２は一定幅を有する板状が垂直補強のために垂直で直立された状態でなされて、弾性バー２３は外側枠２１や内側枠２２の垂直で直立された状態と直交するように弾性の容易性のために水平に横たわっており、弾性バー２３が上下振動する場合に外側枠２１と内側枠２２の直立強度を維持するようになるものであり、弾性バー２３の弾性を向上させる。
【００３２】
また、前記水平で横になっている弾性バー２３は、外側枠２１と内側枠２２との間で内側枠２２と外側枠２１の外周縁と同一な線上に一定長さで位置されながら屈曲されるように形成されることで、内側枠２２の上下振動時に正確な上下振幅維持を維持するようになるものであり、このような弾性バー２３が内側枠２２と外側枠２１の外周縁と同一線上に位置するようにするために、外側枠２１と内側枠２２で連結される場合に連結される部分には垂直で延長された補強台２４を具備するようにした後、補強台２４で延長されながら水平でなされながら屈曲されるように形成されることで、上下振動時に正確な振幅維持が可能になる。
【００３３】
また、本発明での補強台２４は、内側枠２２の上下振動時に軽量化のために肉取りが形成されながらも、水平で屈曲された弾性バー２３の正確な作動時に拗じれを防止するために補強突起２４ａと内入溝２４ｂでなされて、前記内入溝２４ｂの先端に水平でなされながら屈曲された弾性バー２３が連結される。
【００３４】
また、振動板１４０に接着固定されるボイスコイル１３０から露出するコイル線１３１は、振動板１４０に固定されるダンパー２０の内側枠２２の開口溝２２ａから抜き取られながらフレーム１０の外壁１４を形成するいずれか一つの支持壁１５に形成された端子ホール１５ａを通じて支持壁１５の外側に連結される電源端子１６０と連結される。
【００３５】
また、図７に示されたところのように振動板１４０のエッジ１４１を一側に傾くように傾斜突起１４２を形成したものを使用する場合には、ダンパー２０の弾性バー２３が内側枠２２から外側枠２１に高さが異なるように位置されながら一側方向に延長されることで発生される上下振動時の少しの拗じれを取ってくれるようになる長所ができる。
【００３６】
また、本発明では前記振動板１４０を平板で作成する場合には、このような平板によってもうすこし超薄型への具現が可能になるものであり、振動板１４０がダンパー２０の内側枠２２と直接接着連結されることで直径が大きいものを使用が可能になって、上下振幅の速度を減らすことができるようになりながらも、前記振動板１４０が高さの差を有する上下段でなされた外側枠２１と内側枠２２でなされたダンパー２０と連結されることで上下振幅時にもヨーク１１０などと触れなくなる。さらに、ダンパー２０の内側枠２２が外側枠２１の内側で上下振動するようになることで振動板１４０の振動の幅を大きくして低音特性が向上する。また、ボイスコイル１３０のボビン１３０ａの直径が大きいものを使用することができるようになることで、ボビン１３０ａに巻取されるコイル１３０ｂの長さが増加するようになることで、音圧を向上させられる。
【００３７】
さらに、前記ダンパー２０を低重量な導電性材料を使用してボイスコイルのコイルの連結がダンパーに直接連結されるようにすることで、連結作業を簡単になされるようにすることで製作のための組み立て工程が簡単にすることができる。
【００３８】
しかし、このような材質の変化が本発明の目的を変化させるものではなくて、また、このような材質や構造的な形態の変化は、本発明の目的範囲内で多様に変化可能であることは勿論である。
【００３９】
また、図９乃至図１４は、本発明のまた他の実施例による超薄型スピーカーユニットの姿を見せてくれるものであり、図面に示すところのように、フレーム１０に装着される永久磁石１２０を収容するヨーク１１０をフレーム１０と一体でインサート射出成形して、組み立ての容易性を提供するものであり、これのためにヨークの下端には突出枠１１１を形成して突出枠１１１を囲みながらインサート射出成形されることで、接着の工程が必要でないながらも、堅固な固定が可能になる。
【００４０】
また、振動板１４０にボビン１３０ａに絡められているコイル１３０ｂのコイル線１３１が連結されるように端子１５０を形成して、前記端子１５０に電源端子１６０と連結される金糸線１６２を形成するようにする。
【００４１】
このために、振動板１４０に形成されている端子１５０の一側端子１５０ａにコイル線１３１をすぐ連結するようにして長く垂れるコイル線１３１によってボビン１３０ａに巻取されたコイル１３０ｂが解けるのを防止しながら容易に連結して組立てるようにしたものであり、それと同時に他側端子１５０ｂには前記一側端子１５０ａと軟性ボード１５０ｃで連結された一つの電極１５０に形成されていることで、前記他側端子１５０ｂには金糸線１６２を連結して外部電源と連結される電源端子１６０に連結される。
【００４２】
したがって、コイル線１３１と外部電源と連結するための金糸線１６２との連結が容易でありながらも、組み立て時に電源端子１６０と金糸線１６２との溶接も容易になされるようにできる。
【００４３】
また、前記フレーム１０の外壁１４上端には振動板１４０のエッジ１４１が置かれるようにするための枠端部１７が形成される状態で外側に拡張された縁には下側に深く形成された多数個の結合ホール１９ａを有する結合口１９を形成して、前記結合ホール１９ａの内側へボード２００の結合突起２０３が内入されて前記ボード２００と一体化された状態で簡単に組み立てられるようにした。
【００４４】
また、前記ダンパー２０の外側枠２１には、隣合う一対の係止枠２５が外側にお互いに突き出されて形成されながらその間に内側へ湾曲された凹状窪み２６を形成して、振動板で連結される金糸線が電源端子との組み立て時にダンパー２０の外側に露出される金糸線１６２が湾曲された凹状窪み２６内側へ挟まれて安着されている状態で金糸線の他側を電源端子１６０と連結することで、組み立て時に露出した金糸線１６２が等しい長さで合わせられて電源端子と連結される。
【００４５】
この時、凹状窪み２６は、金糸線１６２に対応する数が外側枠２１に形成され、外壁１４を形成する支持壁１５を間に置いて前記係止枠２５とまた他の係止枠２５ａの間には係止板２７が形成され、前記係止板２７が開口ホール１６を通じて外に露出されて、支持壁１５と密着されている時に、前記支持壁１５を中心に同一な距離にそれぞれの係止枠２５が開口ホールの外に露出されている。
【００４６】
この時、開口ホール１６の上端一部は切開されて、切開された部分に位置する支持壁１５の上端には外側に多角形の固定突起１８が突き出されるように形成されていて、電源端子１６０には固定突起１８に対応する溝１６１が形成されていて、前記固定突起１８に電源端子１６０が挟まれて固定されて簡単に組立てるようにした。
【００４７】
図１３は、金糸線１６２を電源端子１６０に連結する過程を見せてくれるものであり、先ず、フレーム１０の底面１１にダンパー２０を固定するようにして、ボイスコイル１３０と振動板１４０の組み立てを完成した状態にした後、外壁を形成する支持壁の間に形成される開口ホールを通じて金糸線１６２をフレーム１０の外側に露出させるようにする。
【００４８】
この時、電源端子が形成される支持壁１５の上部に形成されている固定突起１８の上に電源端子１６０が固定突起１８と溝１６１によって挟まれて組み立てされれば電源端子の大きさによって開口ホールが形成された部分の一部分が切開された状態であるために、ダンパー２０の係止枠２５と共に開口ホール１６外に露出されている係止板２７が支持壁１５と密着されて固定されながら開口ホール１６外に露出されているそれぞれの係止枠２５が電源端子を中心に左右にそれぞれ対応する位置にあるようになる。
【００４９】
そして、この時、露出されている金糸線１６２を係止枠２５の凹状窪み２６内側に挟んで固定した状態で前記金糸線１６２の他側端を電源端子１６０と半田付けして固定して、前記係止枠２５をカッティングしてくれることで、ダンパー２０外に露出した金糸線１６２がすべて等しい長さで合わせられて電源端子１６０に連結されているようになる。
【００５０】
したがって、本発明は、超薄膜型スピーカー製造時に薄いボビンの厚さと構造的な限界によって連結された金糸線の長さがお互いに異なることで一側と他側の振動幅がお互いに異なってしまうという問題点と組み立て時に不便さを解消することができるようになった。
【００５１】
また、図１５乃至図１８は、超薄型スピーカーユニットが結合されているボードの姿を見せてくれるものであり、前記ボードには切開された開口部２０１を中心にわくには前記スピーカーユニットの外郭を囲む固定枠２０２と結合溝２０３ａが形成されている結合突起２０３が形成されていて、スピーカーがボード２００に結合される時にはボードの結合突起２０３が前記フレーム１０の結合口１９内側へ内入されて、一体化された状態でカバー２１０を貫通して組み立てられた組み立てねじ２１１が直接ボード２００の結合溝２０３ａに挟まれて、一度に超薄型スピーカーユニットがボードに容易に組み立てられるようにした。
【００５２】
また、ボード２００の一側には切開された通気口２０４が形成されていて、前記通気口２０４を囲む湾曲された形状の通気路２０５が形成されていて、十分な空気を確保した状態で音を確張して出力を高めるようになっている。
【００５３】
また、図１８に示すところのように、実施例によってボード２００の底部には垂直で直立された多数個の固定片２０６がボードと一体で射出成形されていて、前記固定片２０６には固定溝２０７が形成されていて、電源端子１６０と連結されている電線２０８らが固定溝２０７に挟まれて固定されている状態で熱を加えて融着させることで、フリーな状態（自由に流動可能な状態）に置かれていた電線２０８が張るように引かれている状態で固定されているようにして、振動によって電線２０８らが動きながら発生するノイズをとり除いて機能を改善した。
【００５４】
この時、電線２０８らは、本発明のボード２００が捻れることを防止するためにボード内側に形成されている直交する補強突起に固定溝を形成して、前記固定溝に電線２０８を挟んで熱融着して固定することで、前記のように同一な効果を発生することができる。
【００５５】
そして、このようなボード２００の一側には内入部２３０が形成されていて、前記内入部を通じて前記電線２０８が固定口２４０によって挟まれて固定されている状態で外に露出するようになる。すなわち、前記内入部２３０の一側には顎になった弾性片２３１が形成されていて、他側にはガイド２３２と露出穴２３３が形成されていて、内側にある電線２０８が露出穴を通じて外に出て固定口２４０に挟まれている状態で前記固定口２４０が内入部の内側へ内入されるようになれば、弾性片が離れながら固定口２４０のガイド片２４１とガイド２３２がお互いにかみ合いながら密着されながら固定されているようになる。この時、電線２０８は固定口２４０の溝を通じて外に出て露出されているようになる。
【００５６】
したがって、本発明は、十分な音圧を確保して低音特性をいかしながら組み立て時に露出された金糸線の長さを同一に合わせて容易に組立てることができ、ひいては、組み立て構造を改善して、スピーカーとボードを容易に結合させることができるようになる。
【符号の説明】
【００５７】
１０  フレーム
１１  底面
１２  離隔空間
１３  内壁
１４  外壁
１５  支持壁
１５ａ  端子ホール
１５ｂ  係止突起
１５ｃ  下受け顎
１６  開口ホール
１７  枠端部
１８  固定突起
１９  結合口
１９ａ  結合ホール
２０  ダンパー
２１  外側枠
２２  内側枠
２２ａ  開口溝
２３  弾性バー
２４  補強台
２４ａ  補強突起
２４ｂ  内入溝
２５  係止枠
２６  凹状窪み
２７  係止板
１１０  ヨーク
１１１  突出枠
１２０  永久磁石
１３０  ボイスコイル
１４０  振動板
１４１  エッジ
１４２  傾斜突起
１５０  電極
１５０ａ、１５０ｂ  端子
１５０ｃ  ＦＰＣＢ
１６０  電源端子
１６１  溝
１６２  金糸線
２００  ボード
２０１  開口部
２０２  固定枠
２０３  結合突起
２０４  通気口
２０５  通気路
２０６  固定片
２０７  固定溝
２０８  電線
２１０  カバー
２１１  組み立てねじ
【図１】
2013048414.tif 000003
【図２】
2013048414.tif 000004
【図３】
2013048414.tif 000005
【図３ａ】
2013048414.tif 000006
【図４】
2013048414.tif 000007
【図５】
2013048414.tif 000008
【図６】
2013048414.tif 000009
【図７】
2013048414.tif 000010
【図８】
2013048414.tif 000011
【図９】
2013048414.tif 000012
【図１０】
2013048414.tif 000013
【図１１】
2013048414.tif 000014
【図１２】
2013048414.tif 000015
【図１３】
2013048414.tif 000016
【図１４】
2013048414.tif 000017
【図１５】
2013048414.tif 000018
【図１６】
2013048414.tif 000019
【図１７】
2013048414.tif 000020
【図１８】
2013048414.tif 000021